(57)【要約】【課題】クロストーク現象による画像信号レベルの変動を画像処理によって補正し、読み取り画像の品質劣化の抑制を図ること。【解決手段】画像データを読み取って、複数の画素列で画像信号転送機能を有する画像素子を用いた画像処理装置１００において、画像データをディジタルデータへ変換するＡ／Ｄ変換部１０３と、変換された画像データをシェーディング処理するシェーディング処理部１０７と、シェーディング処理部１０７の前段に設けられ、画像データの注目画素と同一画素列の近隣画素の画素値に基づいて所定のパターンに分類し、分類されたパターンごとに、注目画素の画像信号値に関して異なる補正処理を行う画像信号補正部１０６と、を備える。【選択図】        図１
2006262423.tif 000002
【特許請求の範囲】
【請求項１】
画像データを読み取って、複数の画素列で画像信号転送機能を有する画像素子を用いた画像処理装置において、
前記画像データをディジタルデータへ変換する変換手段と、
前記変換手段により変換された前記画像データをシェーディング処理するシェーディング手段と、
前記シェーディング手段の前段に設けられ、前記変換手段により変換された前記画像データの注目画素と同一画素列の近隣画素の画素値に基づいて所定のパターンに分類する分類手段と、
前記分類手段により分類された前記パターンごとに、前記注目画素の画像信号値に関して異なる補正処理を行う補正手段と、
を備えることを特徴とする画像処理装置。
【請求項２】
前記分類手段は、
前記注目画素と同一信号ライン上における前記注目画素前後の画素値に基づいて所定のパターンに分類するものであり、
前記補正手段は、
前記分類手段により分類された前記パターンごとに、前記注目画素の画像信号値に関して異なる補正処理を行うものであることを特徴とする請求項１に記載の画像処理装置。
【請求項３】
前記補正手段は、
前記分類手段により分類された前記パターンごとに、前記注目画素と同一信号ライン上における前記注目画素前後の画素の画像信号値に関して異なる補正処理を行うものであることを特徴とする請求項１または２に記載の画像処理装置。
【請求項４】
画像データを読み取って、複数の画素列で画像信号転送機能を有する画像素子を用いた画像処理方法において、
前記画像データをディジタルデータへ変換する変換工程と、
前記変換工程により変換された前記画像データをシェーディング処理するシェーディング工程と、
前記シェーディング工程の前段に設けられ、前記変換工程により変換された前記画像データの注目画素と同一画素列の近隣画素の画素値に基づいて所定のパターンに分類する分類工程と、
前記分類工程により分類された前記パターンごとに、前記注目画素の画像信号値に関して異なる補正処理を行う補正工程と、
を含むことを特徴とする画像処理方法。
【請求項５】
請求項４に記載の画像処理方法をコンピュータに実行させることを特徴とする画像処理プログラム。
【発明の詳細な説明】
【技術分野】
【０００１】
この発明は、画像読み取り装置における画像品質劣化の抑制をする画像処理装置、画像処理方法および画像処理プログラムに関する。
【背景技術】
【０００２】
従来、原稿を読み取って画像処理を行い、読み取り画像信号を出力する画像読み取り装置があった。図３−１は、一般的な画像読み取り装置の構成を示す概略図である。また、図３−２は、図３−１における一般的な画像読み取り装置の側面から見た構成を示す概略図である。従来における一般的な画像読み取り装置３００は、１次元撮像素子３０１と、結像レンズ３０２と、走行体（１）３０３と、走行体（２）３０４と、モータ３０５と、駆動伝達部３０６と、折り返しミラー３１０と、コンタクトガラス３１２と、ランプ３１３と、リフレクター３１４と、を含み構成されている。
【０００３】
原稿３１１はコンタクトガラス３１２上に設置される。ランプ３１３の光と、ランプ３１３の光を受けたリフレクター３１４の光が撮像領域３１５に照射される。撮像領域３１５に照射された光の反射光は走行体（１）３０３および走行体（２）３０４内の折り返しミラー３１０を通して結像レンズ３０２によって１次元撮像素子３０１に結像する。そして、１次元撮像素子３０１は撮像領域３１５の画像を１次元に取得する。
【０００４】
走行体（１）３０３と走行体（２）３０４は、駆動伝達部３０６を介してモータ３０５の回転による駆動力を受けて走行する。走行体（１）３０３と走行体（２）３０４は、コンタクトガラス３１２面において撮像領域３１５と垂直方向に走行する。かつ、走行体（１）３０３と走行体（２）３０４は、コンタクトガラス３１２面に対する結像レンズ３０２の結像位置が１次元撮像素子３０１面になる状態を保ちながら走行する。走行体（１）３０３と走行体（２）３０４が前述のように走行することで、コンタクトガラス３１２上にある原稿３１１を１次元撮像素子３０１で２次元に取得することができる。
【０００５】
通常撮像素子として１次元ＣＣＤ（Ｃｈａｒｇｅ−Ｃｏｕｐｌｅｄ  Ｄｅｖｉｃｅｓ）が用いられ、結像レンズ３０２はコンタクトガラス３１２面に対して縮小して１次元撮像素子３０１上に結像している。また、走行体（１）３０３が走査する方向を副走査方向と呼び、１次元撮像素子３０１が読み取る画像方向を主走査方向と呼ぶ。
【０００６】
一般的な画像読み取り装置３００として、例えばカラースキャナなどがある。カラースキャナでは、ＲＧＢ（Ｒｅｄ  Ｇｒｅｅｎ  Ｂｌｕｅ）の各光に感度を有する３ラインのＣＣＤを配置した、３ラインＣＣＤを撮像素子として用いることが多い。各画素列の間は、ＣＣＤ画素の副走査読み取り領域の４ないし８倍程度の距離があり、かならずしも一体となっている訳ではない。つまり、これを上記画像読み取り装置に搭載した場合、各ＲＧＢのＣＣＤ画素の読み取り位置は、副走査方向にずれて読み取ることになる。
【０００７】
ここで、一般的な画像読み取り装置における画像信号処理について説明する。図４は、一般的な画像読み取り装置における画像信号処理に関する機能を示すブロック図である。画像読み取り装置４００は、撮像素子（ＣＣＤ）４０１と、アナログ増幅部４０２と、Ａ／Ｄ（アナログ／ディジタル）変換部４０３と、合流部４０４と、画像メモリ部４０５と、シェーディング処理部４０６と、ガンマ変換部４０７と、を含み構成されている。
【０００８】
撮像素子（ＣＣＤ）４０１から出力された画像信号（アナログ）は、アナログ増幅部４０２によって増幅される。次にアナログ増幅部４０２によって増幅された画像信号は、Ａ／Ｄ変換部４０３によってディジタル画像信号（例えば、８ｂｉｔ（ｂｉｎａｒｙ  ｄｉｇｉｔ）ないし１０ｂｉｔ）に変換され、さらに合流部４０４によって撮像素子（ＣＣＤ）４０１の転送列（図５参照）ごとに分かれた画像信号を合成する。
【０００９】
次に合流部４０４で合成された画像信号は、画像メモリ部４０５によって、ＲＧＢの３ラインＣＣＤ間の読み取り位置のずれ分の補正を行われ、シェーディング処理部４０６によってシェーディング処理が行われる。
【００１０】
シェーディング処理は、一般的に搭載されている、画像信号レベル補正処理の１つである。シェーディング処理は、スキャナにおける第１走行体がホームポジションの位置にあるとき、その上部原稿位置に基準白色板を設置しておいて、画像を読み取った画像信号に基づいて、各画像信号レベルの補正を行う処理である。シェーディング処理によって、レンズの明るさのむらや照明のむらを補正する。
【００１１】
続いて、シェーディング処理が行われた画像信号は、ガンマ変換部４０７によってガンマ変換され、不図示の出力部から出力される。
【００１２】
ここで、３ラインＣＣＤの信号増幅部について説明する。図５は、３ラインＣＣＤの信号増幅部付近を拡大した模式図である。３ラインＣＣＤの信号増幅部５００は、Ｒ（Ｒｅｄ）撮像素子５０１と、Ｇ（Ｇｒｅｅｎ）撮像素子５０２と、Ｂ（Ｂｌｕｅ）撮像素子５０３と、Ｒ奇数信号転送列５０４と、Ｒ偶数信号転送列５０５と、Ｇ偶数信号転送列５０６と、Ｇ奇数信号転送列５０７と、Ｂ奇数信号転送列５０８と、Ｂ偶数信号転送列５０９と、信号増幅部５１０と、を含み構成されている。
【００１３】
一般に高速転送ＣＣＤでは、偶数列と奇数列の画像信号を別々に転送する方式が多く採用されている。例えば、Ｒ撮像素子５０１に結像した画像信号は、Ｒ奇数信号転送列５０４と、Ｒ偶数信号転送列５０５と、に分けて転送される。同様に、Ｇ撮像素子５０２に結像した画像信号は、Ｇ偶数信号転送列５０６と、Ｇ奇数信号転送列５０７と、に分けて転送される。また、Ｂ撮像素子５０３に結像した画像信号は、Ｂ奇数信号転送列５０８と、Ｂ偶数信号転送列５０９と、に分けて転送される。
【００１４】
そして、それぞれの転送列ごとに信号増幅部５１０などを設けているため、それぞれの差によって信号レベルが異なる。結果的に偶数列と奇数列で信号レベル差が生じることになる。これを偶奇感度差と呼ぶ。近年では、撮像素子の偶奇感度差に起因する信号レベルの差を、撮像素子による画像信号出力後、Ａ／Ｄ変換した後で、シェーディング処理を行う前に補正回路により補正する手法が提案されている（例えば、下記特許文献１、２参照。）。
【００１５】
【特許文献１】特開平０９−０９３４３３号公報
【特許文献２】特開平１１−０８８６７３号公報
【発明の開示】
【発明が解決しようとする課題】
【００１６】
しかしながら、上記従来技術は、クロストーク現象に起因する読み取り画像不良について考慮されていないものであった。クロストーク現象とは、３ラインＣＣＤにおいて発生する電気的な現象を指している。前述の図５で説明したように、一般に高速転送ＣＣＤでは、偶数列と奇数列の画像信号を別々に転送する方式が多く採用されている。例えばＲ偶数信号転送列５０５とＧ偶数信号転送列５０６など、隣接する信号転送列間では、お互いの信号レベルが変動してしまうことがあり、これをクロストーク現象と呼んでいる。例えばクロストーク現象は、画像信号転送列通して伝えられた画像信号を増幅する信号増幅部５１０で強く発生するものである。
【００１７】
クロストーク現象が発生すると、隣接した画像信号とのレベル差が大きいほど、その差を小さくするように信号レベルが変動することになる。例えばＲ画像信号がＧ画像信号の影響を受けてしまうことになり、カラー原稿を読み取る場合、ＲＧＢ各色ごとの信号レベル差が大きくあるときなどは筋状に画像読み取りをしてしまうことになる。次に図を用いて、黄色原稿を読み取った場合の読み取り画像不良発生例を説明する。
【００１８】
図６は、黄色原稿を読み取った場合の黄色原稿読み取り信号レベルとクロストーク現象影響後の読み取り信号レベルを表す図である。黄色原稿６０１をＲＧＢの各ＣＣＤが読み取ると、各ＣＣＤの信号レベルは黄色原稿読み取り信号レベルのグラフ６０２のようになる。クロストーク現象が生じると、隣接する画像信号列に引っ張られ、クロストーク現象影響後の読み取り信号レベルのグラフ６０３のようになってしまう。つまり偶数列と奇数列の画像信号レベル差が生じ、例えば読み取った画像を拡大すると縦筋が発生してしまうことになる。
【００１９】
また、前述で説明したように、ＲＧＢの各ＣＣＤは、同一位置を読み取っているのではなく、副走査方向にずれて読み取っており、画像メモリ部４０５によって同一位置になるよう処理されている。しかし、クロストーク現象はＣＣＤの画素に光が入射した時間に応じて発生するため、画像メモリ部４０５で同一位置になるように処理を施すと、同一位置になるようにした処理の影響が画像上ずれて生じることになる。そのずれは各ＣＣＤラインのピッチによって決まる。図７は、画像のずれによる読み取り画像不良を示す図である。原稿７０１に対して、読み取り画像７０２ＣＣＤラインピッチのずれが生じている。一般に生産されているＣＣＤでは４画素分もしくは８画素分のピッチが一般的であり、特に副走査方向に濃度変化が大きい原稿では、図７に示すような読み取り画像不良が発生する。つまり原稿のべた部を早く読んだＣＣＤがまだ読んでいないＣＣＤラインの信号レベルに影響することによって、エッジ部に信号レベル差を生じてしまうことによる。
【００２０】
従来の画像読み取り装置では、上記クロストーク現象によって、読み取り画像品質の低下を引き起こすという問題があった。特に端部の筋は、一種のＭＴＦ（Ｍｏｄｕｌａｔｉｏｎ  Ｔｒａｎｓｆｅｒ  Ｆｕｎｃｔｉｏｎ）の低下を招き、文字画像を読み取りづらくする原因となる。また、カラー原稿の色分解性能にも大きく影響するため、ｓＲＧＢ（ｓｔａｎｄａｒｄ  ＲＧＢ）規格を満足したＲＧＢが得られないなどの問題があった。
【００２１】
この発明は、上述した従来技術による問題点を解消するため、クロストーク現象による読み取り画像品質劣化を、画像処理によって補正することのできる画像処理装置、画像処理方法および画像処理プログラムを提供することを目的とする。
【課題を解決するための手段】
【００２２】
上述した課題を解決し、目的を達成するため、請求項１の発明にかかる画像処理装置は、画像データを読み取って、複数の画素列で画像信号転送機能を有する画像素子を用いた画像処理装置において、前記画像データをディジタルデータへ変換する変換手段と、前記変換手段により変換された前記画像データをシェーディング処理するシェーディング手段と、前記シェーディング手段の前段に設けられ、前記変換手段により変換された前記画像データの注目画素と同一画素列の近隣画素の画素値に基づいて所定のパターンに分類する分類手段と、前記分類手段により分類された前記パターンごとに、前記注目画素の画像信号値に関して異なる補正処理を行う補正手段と、を備えることを特徴とする。
【００２３】
この請求項１の発明によれば、複数の画素列からなる撮像画素において、画像信号転送部で発生するクロストーク現象による読み取り画像信号レベルが変動しても、画像信号値に関して補正処理を行うことができるため、読み取り画像品質が劣化しない。また、注目画素と同一画素列の近隣画素の画素値に基づいて所定のパターンに分類し、パターンの分類に基づいて補正処理を行うため、読み取り画像品質の劣化の抑制効果を増大させ、補正処理によって副作用の抑制を図ることができる。
【００２４】
また、請求項２の発明にかかる画像処理装置は、請求項１に記載の発明において、前記分類手段は、前記注目画素と同一信号ライン上における前記注目画素前後の画素値に基づいて所定のパターンに分類するものであり、前記補正手段は、前記分類手段により分類された前記パターンごとに、前記注目画素の画像信号値に関して異なる補正処理を行うものであることを特徴とする。
【００２５】
この請求項２の発明によれば、注目画素と同一信号ライン上における注目画素前後の画素値に基づいて補正処理を行うことができるため、電磁効果による画質劣化要素であるＣＣＤ感度の応答性による画質劣化の抑制を図ることができる。
【００２６】
また、請求項３の発明にかかる画像処理装置は、請求項１または２に記載の発明において、前記補正手段は、前記分類手段により分類された前記パターンごとに、前記注目画素と同一信号ライン上における前記注目画素前後の画素の画像信号値に関して異なる補正処理を行うものであることを特徴とする。
【００２７】
この請求項３の発明によれば、クロストーク現象による画質劣化抑制効果と、画像処理装置のＣＣＤ感度の応答性による画質劣化の抑制効果を併用することで、両方の効果を促すことができる。
【００２８】
また、請求項４の発明にかかる画像処理方法は、画像データを読み取って、複数の画素列で画像信号転送機能を有する画像素子を用いた画像処理方法において、前記画像データをディジタルデータへ変換する変換工程と、前記変換工程により変換された前記画像データをシェーディング処理するシェーディング工程と、前記シェーディング工程の前段に設けられ、前記変換工程により変換された前記画像データの注目画素と同一画素列の近隣画素の画素値に基づいて所定のパターンに分類する分類工程と、前記分類工程により分類された前記パターンごとに、前記注目画素の画像信号値に関して異なる補正処理を行う補正工程と、を含むことを特徴とする。
【００２９】
この請求項４の発明によれば、複数の画素列からなる撮像画素において、画像信号転送部で発生するクロストーク現象による読み取り画像信号レベルが変動しても、画像信号値に関して補正処理を行うことができるため、読み取り画像品質が劣化しない。また、注目画素と同一画素列の近隣画素の画素値に基づいて所定のパターンに分類し、パターンの分類に基づいて補正処理を行うため、読み取り画像品質の劣化の抑制効果を増大させ、補正処理によって副作用の抑制を図ることができる。
【００３０】
また、請求項５の発明にかかる画像処理プログラムは、請求項４に記載の画像処理方法をコンピュータに実行させることを特徴とする。
【００３１】
この請求項５の発明によれば、請求項４に記載の画像処理方法をコンピュータに実行させることができる。
【発明の効果】
【００３２】
本発明にかかる画像処理装置、画像処理方法および画像処理プログラムによれば、画像処理によって、クロストーク現象による読み取り画像品質劣化を防ぐことができるという効果を奏する。
【発明を実施するための最良の形態】
【００３３】
以下に添付図面を参照して、この発明にかかる画像処理装置、画像処理方法および画像処理プログラムの好適な実施の形態を詳細に説明する。
【００３４】
（実施の形態）
（画像処理装置の機能的構成）
図１は、本発明の実施の形態にかかる画像処理装置の構成を示すブロック図である。本発明の実施の形態にかかる画像処理装置１００は、撮像素子（ＣＣＤ）１０１と、アナログ増幅部１０２と、Ａ／Ｄ変換部１０３と、合流部１０４と、画像メモリ部１０５と、画像信号補正部１０６と、シェーディング処理部１０７と、ガンマ変換部１０８と、を含み構成されている。
【００３５】
本発明の実施の形態にかかる画像処理装置１００は、前述の図４で説明した一般的な画像読み取り装置４００における画像信号処理に関する機能に画像信号補正部１０６が新たに追加されたものである。
【００３６】
撮像素子（ＣＣＤ）１０１から出力された画像信号（アナログ）は、アナログ増幅部１０２によって増幅される。次にアナログ増幅部１０２によって増幅された画像信号は、Ａ／Ｄ変換部１０３によってディジタル画像信号（例えば、８ｂｉｔないし１０ｂｉｔ）に変換され、さらに合流部１０４によって撮像素子（ＣＣＤ）１０１の転送列ごとに分かれた画像信号を合成する。
【００３７】
次に、合流部１０４で合成された画像信号は、画像メモリ部１０５によって、ＲＧＢの３ラインＣＣＤ間の読み取り位置のずれ分の補正を行われる。ここで画像信号は、画像信号補正部１０６で撮像素子からの転送列における隣りの画像信号とのレベル差に基づき、画像信号の画像信号レベル値を補正される。隣接した転送列とは、同色の偶数列と奇数列に分かれた画像信号である場合もあれば、３ラインＣＣＤでの他色の転送列としてもよい。
【００３８】
その後、画像データはシェーディング処理部１０７でシェーディング処理を施され、ガンマ変換部１０８でガンマ変換されて、不図示の出力部から出力される。
【００３９】
（画像処理装置の補正方法）
画像信号補正部１０６は、隣接する同一画素列について、補正係数ｒを設定して、クロストーク現象に対する補正を実施できる。補正係数ｒは、ユーザが設定できる構成としてもよいが、本実施の形態では、注目画素の状態を分類して設定する構成である。
【００４０】
図２は、本発明の実施の形態にかかる隣接する同一画像列を示す図である。本発明の実施の形態にかかる隣接する同一画素列２００は、それぞれＸ−２と、Ｘ−１と、Ｘと、Ｘ＋１と、Ｘ＋２と、に位置する画素２０１〜２０５を含み構成されている。それぞれの画素２０１〜２０５は、画素値Ｄａｔａ［＊］（＊は画素位置）を有している。例えば、Ｘ−２に位置する画素２０１の画素値はＤａｔａ［Ｘ−２］である。同様に、Ｘ−１に位置する画素２０２の画素値はＤａｔａ［Ｘ−１］、Ｘに位置する画素２０３の画素値はＤａｔａ［Ｘ］、Ｘ＋１に位置する画素２０４の画素値はＤａｔａ［Ｘ＋１］、Ｘ＋２に位置する画素２０５の画素値はＤａｔａ［Ｘ＋２］である。
【００４１】
ここで、注目画素をＸに位置する画素２０３として補正を行う場合について説明する。画素２０３に隣接する画素２０２や画素２０４、および近隣の画素２０１や画素２０５などとの関係より、注目画素の状態をいくつかのパターンに分類する。パターンの分類は経験的なものや試験的なものでもよいが、ここでは注目画素である画素２０３と隣接する画素２０２、２０４の画素値の合計Ａを次式（１）により算出して、あらかじめ設定した閾値を参照することにより、パターン１〜３に分類する。
【００４２】
Ａ＝（｜Ｄａｔａ［Ｘ−１］−Ｄａｔａ［Ｘ］｜＋｜Ｄａｔａ［Ｘ＋１］−Ｄａｔａ［Ｘ］｜）／２・・・（１）
Ａ＞Ｔｈｒｅｓｈ１のとき、パターン１
Ｔｈｒｅｓｈ１＞＝Ａ＞Ｔｈｒｅｓｈ２のとき、パターン２
Ｔｈｒｅｓｈ２＞Ａのとき、パターン３
【００４３】
そして、パターン分類に基づいて補正係数ｒを決定し、パターンごとに切り替えながら次式（２）に従いに補正を行う。ここで、「’」のついた画素値は補正後の画素値である。
【００４４】
Ｄａｔａ［Ｘ］’＝Ｄａｔａ［Ｘ］＋ｒ×（Ｄａｔａ［Ｘ］×２−Ｄａｔａ［Ｘ−１］−Ｄａｔａ［Ｘ＋１］）・・・（２）
【００４５】
あらかじめ設定する閾値Ｔｈｒｅｓｈ１およびＴｈｒｅｓｈ２は、任意でよく、画像処理装置１００の使用に伴いチューニングできる構成としてもよい。
【００４６】
また、転送列の画像信号レベルに基づいて補正を行う構成としてもよい。次式（３）では、計算に用いる画像信号値は同一タイミングで転送されてきた１個の画像信号を用いている。また、「’」のついた記号は、補正後の画像信号値を表している。
【００４７】
Ｄａｔａ［ｘ］’＝Ｄａｔａ［ｘ］＋ｒ×（Ｄａｔａ［ｘ］×２−Ｄａｔａ［ｘ−１］−Ｄａｔａ［ｘ＋１］）・・・（３）
Ｄａｔａ［ｘ］：ｘ番目転送列の画像信号値
ｒ：補正係数
【００４８】
（３）式では、自身の画像信号と隣接する画像信号のレベル差があると、それに引っ張られるため、その引っ張られる割合を補正係数ｒとして補正している。隣りの転送列が片側にしかない転送列の画像信号の補正は、反対側の画像信号値を０値と仮定して計算する構成としてもよい。
【００４９】
また、前述のように隣接する画素および転送列に基づく補正でなく、同一の信号ライン上の注目画素前後の画素値に基づいて補正を行う構成としてもよい。なお、隣接する画素および転送列に基づいた補正を実施した後に、併せて同一信号ライン上の注目画素前後の画素値に基づく補正を行う構成としてもよいし、同一信号ライン上の注目画素前後の画素値に基づく補正を実施した後に、併せて隣接する画素および転送列に基づいた補正を行う構成としてもよい。
【００５０】
以上説明した実施の形態によれば、画像信号転送部で発生するクロストーク現象による読み取り画像信号レベルが変動しても、補正係数を用いて、画像信号値に関して補正処理を行うことができるため、読み取り画像品質が劣化しない。また、注目画素と同一画素列の近隣画素の画素値に基づいてパターンに分類して補正係数を決定することができるため、読み取り画像品質の劣化の抑制効果を増大させることができる。
【００５１】
また、注目画素の前後の画素値に基づいてパターンを分類する。そして、分類したパターンに基づいて補正係数を決定し、補正処理を行うことができるため、ＣＣＤ感度の応答性による画質劣化の抑制を図ることができる。
【００５２】
以上説明したように、画像処理装置、画像処理方法および画像処理プログラムによれば、クロストーク現象による画像信号レベルの変動を画像処理によって補正することができるため、読み取り画像の品質劣化を抑制することができる。
【００５３】
なお、本実施の形態で説明した画像処理方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【００５４】
以上のように、本発明にかかる画像処理装置、画像処理方法および画像処理プログラムは、スキャナなど画像読み取り装置に有用であり、特に、固体撮像素子を利用した画像読み取り装置に適している。
【図面の簡単な説明】
【００５５】
【図１】本発明の実施の形態にかかる画像処理装置の構成を示すブロック図である。
【図２】本発明の実施の形態にかかる隣接する同一画像列を示す図である。
【図３−１】一般的な画像読み取り装置の構成を示す概略図である。
【図３−２】図３−１における一般的な画像読み取り装置の側面から見た構成を示す概略図である。
【図４】一般的な画像読み取り装置における画像信号処理に関する機能を示すブロック図である。
【図５】３ラインＣＣＤの信号増幅部付近を拡大した模式図である。
【図６】黄色原稿を読み取った場合の黄色原稿読み取り信号レベルとクロストーク現象影響後の読み取り信号レベルを表す図である。
【図７】画像のずれによる読み取り画像不良を示す図である。
【符号の説明】
【００５６】
１００  画像処理装置
１０１  撮像素子（ＣＣＤ）
１０２  アナログ増幅部
１０３  Ａ／Ｄ変換部
１０４  合流部
１０５  画像メモリ部
１０６  画像信号補正部
１０７  シェーディング処理部
１０８  ガンマ変換部
２００  同一画素列
２０１〜２０５  画素
【図１】
2006262423.tif 000003
【図２】
2006262423.tif 000004
【図３−１】
2006262423.tif 000005
【図３−２】
2006262423.tif 000006
【図４】
2006262423.tif 000007
【図５】
2006262423.tif 000008
【図６】
2006262423.tif 000009
【図７】
2006262423.tif 000010